(57)【要約】【課題】舗石の間隔変更に対応できる舗石用ストッパーを提供する。【解決手段】舗石１１の移動を防止するために用いられる舗石用ストッパー１であって、二股に分かれた平面視略コ字型の雌部材２と、その雌部材２に係合する平面視略Ｔ字型の雄部材３と、からなる。そして、雌部材２と雄部材３は、その各々が互いに対向する立ち上がり板部２ａ・３ａを備え、これら立ち上がり板部２ａ・３ａ同士の間隔を調整可能に係合している。具体的には、雌部材２は、その立ち上がり板部２ａの両端部下端から同一方向に平行に延出し、底面が地面に接する二つの接地板部２ｂを備える。また、雄部材３は、その立ち上がり板部３ａの中央部下端から延出し、底面が地面に接する一つの接地板部３ｂを備える。【選択図】図１
2016142091.tif 000002
【特許請求の範囲】
【請求項１】
舗石の移動を防止するために用いられる舗石用ストッパーであって、
二股に分かれた平面視略コ字型の雌部材と、
前記雌部材に係合する平面視略Ｔ字型の雄部材と、からなり、
前記雌部材と前記雄部材は、その各々が互いに対向する立ち上がり板部を備え、これら立ち上がり板部同士の間隔を調整可能に係合していることを特徴とする舗石用ストッパー。
【請求項２】
請求項１に記載の舗石用ストッパーにおいて、
前記雌部材は、その前記立ち上がり板部の両端部下端から同一方向に平行に延出し、底面が地面に接する二つの接地板部を備え、
前記雄部材は、その前記立ち上がり板部の中央部下端から延出し、底面が地面に接する一つの接地板部を備えることを特徴とする舗石用ストッパー。
【請求項３】
請求項２に記載の舗石用ストッパーにおいて、
前記雌部材及び雄部材は、その各々において、前記立ち上がり板部が、前記接地板部の上面からそれぞれ上方に立ち上がった形状に形成されていることを特徴とする舗石用ストッパー。
【請求項４】
請求項２または３に記載の舗石用ストッパーにおいて、
前記雌部材の前記二つの接地板部の内側縁部に、その接地板部の長さ方向に沿って凹凸部がそれぞれ形成されて、
前記雄部材の前記一つの接地板部の両外側縁部に、その接地板部の長さ方向に沿って凹凸部がそれぞれ形成されていて、
前記雌部材の前記二つの接地板部の内側縁部に沿った前記凹凸部と、前記雄部材の前記一つの接地板部の両外側縁部に沿った前記凹凸部とが位置変更可能に噛み合って係合することを特徴とする舗石用ストッパー。
【請求項５】
請求項４に記載の舗石用ストッパーにおいて、
前記雌部材の前記二つの接地板部の内側縁部に形成した前記凹凸部は対称的に形成されていて、
前記雄部材の前記一つの接地板部の両外側縁部に形成した前記凹凸部も対称的に形成されていることを特徴とする舗石用ストッパー。
【発明の詳細な説明】
【技術分野】
【０００１】
本発明は、舗石の移動を防止するために用いられる舗石用ストッパーに関する。
【背景技術】
【０００２】
道路や広場、駐車スペース等の舗装に舗石（インターロッキングブロック、コンクリート平板等）が用いられる。例えば図１５（ａ）に示すように、舗石による通路の舗装では長い距離の水勾配（矢印参照）が必要となり、また、舗装の端縁では余りが出て舗石の切断加工が必要となる。
そこで、図１５（ｂ）に示すように、舗石による舗装の間に隙間を空けて、水勾配の距離が短くなるように調整（矢印参照）することが行われるが、その場合、舗装の隙間での舗石のズレが問題になる。
【０００３】
このような舗石の移動を防止するために、舗石用ストッパーが用いられる。
例えば特許文献１において、隣接する舗石間に植生部を介在させつつ多数の舗石を敷設してなる舗装構造において用いる舗石用ストッパーが開示される。この舗石用ストッパーは、４角形状の板部材の各角部に舗石の角部の形状に合わせた切り込みをそれぞれ形成することで、中央部分から外側４方向にスペーサ片が突出する十字形状を備えるもので、その各切り込みに４個の舗石の角部をそれぞれ嵌め込むようにしたものである。
【先行技術文献】
【特許文献】
【０００４】
【特許文献１】特開２０００−３１９８０２号公報
【発明の概要】
【発明が解決しようとする課題】
【０００５】
しかし、従来の舗石用ストッパーでは、舗石を一定間隔に規制するだけで、舗石の間隔変更には対応できなかった。
【０００６】
本発明の課題は、舗石の間隔変更に対応できる舗石用ストッパーを提供することである。
【課題を解決するための手段】
【０００７】
以上の課題を解決するため、請求項１に記載の発明は、例えば図１〜図１２に示すように、
舗石１１の移動を防止するために用いられる舗石用ストッパー１であって、
二股に分かれた平面視略コ字型の雌部材２と、
前記雌部材２に係合する平面視略Ｔ字型の雄部材３と、からなり、
前記雌部材２と前記雄部材３は、その各々が互いに対向する立ち上がり板部２ａ・３ａを備え、これら立ち上がり板部２ａ・３ａ同士の間隔を調整可能に係合していることを特徴とする。
【０００８】
請求項１に記載の発明によれば、二股に分かれた平面視略コ字型の雌部材２と、その雌部材２に係合する平面視略Ｔ字型の雄部材３と、からなる舗石用ストッパー２で、雌部材２と雄部材３は、その各々が互いに対向する立ち上がり板部２ａ・３ａを備え、これら立ち上がり板部２ａ・３ａ同士の間隔を調整可能に係合しているので、雌部材２及び雄部材３の各々の立ち上がり板部２ａ・３ａ同士の間隔を広げることによって、少なくとも一方の立ち上がり板部２ａ（または立ち上がり板部３ａ）を舗石１１に強く当接させることができる。
従って、舗石１１の間隔変更に対応することができる。
【０００９】
請求項２に記載の発明は、例えば図１〜図１２に示すように、
請求項１に記載の舗石用ストッパー１において、
前記雌部材２は、その前記立ち上がり板部２ａの両端部下端から同一方向に平行に延出し、底面が地面に接する二つの接地板部２ｂを備え、
前記雄部材３は、その前記立ち上がり板部３ａの中央部下端から延出し、底面が地面に接する一つの接地板部３ｂを備えることを特徴とする。
【００１０】
請求項２に記載の発明によれば、雌部材２は、その立ち上がり板部２ａの両端部下端から同一方向に平行に延出して備える二つの接地板部２ｂの底面が地面に接して、雄部材３は、その立ち上がり板部３ａの中央部下端から延出して備える一つの接地板部３ｂの底面が地面に接する。
【００１１】
請求項３に記載の発明は、例えば図１〜図１２に示すように、
請求項２に記載の舗石用ストッパー１において、
前記雌部材２及び雄部材３は、その各々において、前記立ち上がり板部２ａ・３ａが、前記接地板部２ｂ・３ｂの上面からそれぞれ上方に立ち上がった形状に形成されていることを特徴とする。
【００１２】
請求項３に記載の発明によれば、雌部材２及び雄部材３は、その各々において、立ち上がり板部２ａ・３ａが、接地板部２ｂ・３ｂの上面からそれぞれ上方に立ち上がった形状なので、その立ち上がり板部２ａ・３ａの下端面と接地板部２ｂ・３ｂの底面が接する地面との間には、少なくとも接地板部２ｂ・３ｂの厚み分の隙間が生じ、雌部材２と雄部材３とを係合させた際に、各々の立ち上がり板部２ａ・３ａの下に接地板部２ｂ・３ｂがそれぞれ入る状態となる。
【００１３】
請求項４に記載の発明は、例えば図１〜図１２に示すように、
請求項２または３に記載の舗石用ストッパー１において、
前記雌部材２の前記二つの接地板部２ｂの内側縁部に、その接地板部２ｂの長さ方向に沿って凹凸部２ｄがそれぞれ形成されて、
前記雄部材３の前記一つの接地板部３ｂの両外側縁部に、その接地板部３ｂの長さ方向に沿って凹凸部３ｄがそれぞれ形成されていて、
前記雌部材２の前記二つの接地板部２ｂの内側縁部に沿った前記凹凸部２ｄと、前記雄部材３の前記一つの接地板部３ｂの両外側縁部に沿った前記凹凸部３ｄとが位置変更可能に噛み合って係合することを特徴とする。
【００１４】
請求項４に記載の発明によれば、雌部材２の二つの接地板部２ｂの内側縁部に各々長さ方向に沿ってそれぞれ形成した凹凸部２ｄと、雄部材３の一つの接地板部３ｂの両外側縁部に各々長さ方向に沿ってそれぞれ形成した凹凸部３ｄとが噛み合うことで、位置変更可能に係合する。
【００１５】
請求項５に記載の発明は、例えば図１〜図１２に示すように、
請求項４に記載の舗石用ストッパーにおいて、
前記雌部材２の前記二つの接地板部２ｂの内側縁部に形成した前記凹凸部２ｄは対称的に形成されていて、
前記雄部材３の前記一つの接地板部３ｂの両外側縁部に形成した前記凹凸部３ｄも対称的に形成されていることを特徴とする。
【００１６】
請求項５に記載の発明によれば、雌部材２の二つの接地板部２ｂの内側縁部に各々形成した凹凸部２ｄが対称的に形成されていて、雄部材３の一つの接地板部３ｂの両外側縁部に各々形成した凹凸部３ｄも対称的に形成されているので、雌部材２と雄部材３を、各々の接地板部２ｂ・３ｂの延在方向が反対向きになるように係合させたり、各々の接地板部２ｂ・３ｂの延在方向が同一の向きに揃えて係合させたり、二通りの使い方で舗石１１の移動をそれぞれ防止することができる。
【発明の効果】
【００１７】
本発明によれば、舗石の間隔変更に対応できる舗石用ストッパーを提供することができる。
【図面の簡単な説明】
【００１８】
【図１】本発明に係る舗石用ストッパーの一例を示すもので、その雌部材と雄部材を係合させて組み合わせた状態の一例を示した斜視図である。
【図２】図１の雌部材の単品図である。
【図３】図２の雄部材の単品図である。
【図４】図２の雌部材と図３の雄部材を打ち抜く一枚の鉄板を示す平面図である。
【図５】雌部材と雄部材の組み合わせ状態の第２例を示した斜視図である。
【図６】雌部材と雄部材の組み合わせ状態の第３例を示した斜視図である。
【図７】本発明に係る舗石用ストッパーの舗石への使用状態の一例を示した平面図である。
【図８】本発明に係る舗石用ストッパーの舗石への使用状態の第２例を示した平面図である。
【図９】本発明に係る舗石用ストッパーの舗石への使用状態の第３例を示した平面図である。
【図１０】本発明に係る舗石用ストッパーの舗石への使用状態の第４例を示した平面図である。
【図１１】本発明に係る舗石用ストッパーの舗石への使用状態の第５例を示した平面図である。
【図１２】本発明に係る舗石用ストッパーの舗石への使用状態の第６例を示した縦断面図である。
【図１３】変形例の舗石用ストッパーを示すもので、その雌部材と雄部材を係合させて組み合わせた状態の一例を示した斜視図である。
【図１４】図１３の舗石用ストッパーの舗石への使用状態の一例を示した平面図である。
【図１５】舗石による通路舗装での長い距離の水勾配を示す概略斜視図（ａ）と、舗石による舗装の間に隙間を空けて水勾配の距離が短くなる調整例を示す図（ｂ）である。
【発明を実施するための形態】
【００１９】
以下、図面を参照して本発明の実施の形態について説明する。
（実施形態）
図１は本発明に係る舗石用ストッパー１の一例として雌部材２と雄部材３を係合させて組み合わせた状態の一例を示したもので、図示のように、舗石用ストッパー１は、二股に分かれた平面視略コ字型の雌部材２と、その雌部材２に係合する平面視略Ｔ字型の雄部材３と、からなる。
【００２０】
雌部材２と雄部材３は、その各々が互いに対向する立ち上がり板部２ａ・３ａを備え、これら立ち上がり板部２ａ・３ａ同士の間隔を調整可能に係合しており、これら立ち上がり板部２ａ・３ａ同士の間隔を広げることによって、少なくとも一方の立ち上がり板部２ａ（または立ち上がり板部３ａ）を、例えば図７〜図１２に示すように、舗石に強く当接させることができる。
すなわち、舗石用ストッパー１は、雌部材２及び雄部材３の一組で、舗石の間隔変更に対応できるという目的を果たすことができる。
【００２１】
図２にも示すように、雌部材２は、その立ち上がり板部２ａの両端部下端から同一方向に平行に延出し、底面が地面に接する二つの接地板部２ｂを備える。
この二つの接地板部２ｂの各々には、水抜き兼アンカー固定用穴２ｃがそれぞれ形成されている。図示例では、接地板部２ｂに２個の水抜き兼アンカー固定用穴２ｃが形成されていて、立ち上がり板部２ａ及び接地板部２ｂにかけて１個の水抜き兼アンカー固定用穴２ｃが形成されている。
なお、雌部材２は、立ち上がり板部２ａと接地板部２ｂとが一体形成されている。
【００２２】
また、図３にも示すように、雄部材３は、その立ち上がり板部３ａの中央部下端から延出し、底面が地面に接する一つの接地板部３ｂを備える。
この一つの接地板部３ｂには、水抜き兼アンカー固定用穴３ｃが形成されている。図示例では、接地板部３ｂに２個の水抜き兼アンカー固定用穴３ｃが形成されている。
なお、雄部材３も、立ち上がり板部３ａと接地板部３ｂとが一体形成されている。
【００２３】
ここで、雌部材２と雄部材３は、その各々において、立ち上がり板部２ａ・３ａが接地板部２ｂ・３ｂの上面からそれぞれ上方に立ち上がったような状態となっている。
そのため、立ち上がり板部２ａ・３ａの下端面と地面との間には、少なくとも接地板部２ｂ・３ｂの厚み分の隙間が生じることになる。
従って、雌部材２と雄部材３とを係合させた際に、各々の立ち上がり板部２ａ・３ａの下に接地板部２ｂ・３ｂがそれぞれ入る状態となる。
【００２４】
そして、雌部材２の二つの接地板部２ｂの内側縁部には、その接地板部２ｂの長さ方向に沿って凹凸部２ｄが形成されている。
これら二つの接地板部２ｂの内側縁部の各々に形成された凹凸部２ｄは、対称的に形成されている。
すなわち、凹凸部２ｄは、二つの接地板部２ｂの長さ方向における凹部の位置と凸部の位置とが揃うように配置されている。
【００２５】
一方、雄部材３の一つの接地板部３ｂの両外側縁部には、その接地板部３ｂの長さ方向に沿って凹凸部３ｄが形成されている。
その一つの接地板部３ｂの両外側縁部に各々形成された凹凸部３ｄも、対称的に形成されている。
【００２６】
従って、図１に示したように、雌部材２の二つの接地板部２ｂにおける凹凸部２ｄと、雄部材３の一つの接地板部３ｂにおける凹凸部３ｄとを噛み合わせた状態とすることによって、雌部材２と雄部材３とを、各々の接地板部２ｂ・３ｂの延在方向を反対向きにして係合させた状態に保持することができる。
また、雌部材２と雄部材３における互いの凹凸部２ｄ・３ｄを噛み合わせる位置によって、雌部材２と雄部材３の各々の立ち上がり板部２ｂ・３ｂ同士の間隔を狭めたり、反対に広げたりして位置調整をそれぞれ行うことができる。
【００２７】
図４は図２の雌部材２と図３の雄部材３を打ち抜く一枚の鉄板を示すもので、図示のように、一枚の鉄板から、立ち上がり板部２ａと接地板部２ｂとが同一平面状の雌部材２と、立ち上がり板部３ａと接地板部３ｂとが同一平面状の雄部材３とを打ち抜きプレス成形により得る。
すなわち、一枚の矩形状をなす鉄板において、実線で示すように、雌部材２の二つの接地板部２ｂの先端縁部と雄部材３の立ち上がり板部３ａとが打ち抜きプレス成形で分離される。同時に、雌部材２の立ち上がり板部２ａと雄部材３の一つの接地板部３ｂの先端縁部とが分離されて、雌部材２の接地板部２ｂの内側縁部に沿った凹凸部２ｄと雄部材３の接地板部３ｂの外側縁部に沿った凹凸部３ｄとが分離される。
そして、点線で示すように、接地板部２ｂに対し立ち上がり板部２ａを直角に曲げて、図２のように雌部材２を形成して、接地板部３ｂに対し立ち上がり板部３ａを直角に曲げて、図３のように雄部材３を形成する。
【００２８】
図５は雌部材２と雄部材３の組み合わせ状態の第２例を示したもので、図示のように、雌部材２と雄部材３とを、各々の接地板部２ｂ・３ｂの延在方向を反対向きにして、各々の凹凸部２ｄ・３ｄを係合させて、図１の状態との対比において、各々の立ち上がり板部２ｂ・３ｂ同士の間隔を狭めた状態に保持している。
すなわち、相手方の立ち上がり板部２ｂ・３ｂに対し反対向きに延在する各々の接地板部２ｂ・３ｂの延在長さを、図１の状態よりも長くしている。
【００２９】
図６は雌部材２と雄部材３の組み合わせ状態の第３例を示したもので、図示のように、雌部材２と雄部材３とを、各々の接地板部２ｂ・３ｂの延在方向を同一の向きに揃えて、各々の凹凸部２ｄ・３ｄを係合させて、各々の立ち上がり板部２ｂ・３ｂ同士の間隔を、図１と同じ状態に保持している。
【００３０】
このように、雌部材２と雄部材３は、各々の接地板部２ｂ・３ｂの延在方向が反対向きになるように係合させる場合（図１、図５参照）と、各々の接地板部２ｂ・３ｂの延在方向が同一の向きに揃えて係合させる場合（図６参照）と、の二通りの使い方で舗石の移動をそれぞれ防止できる。
【００３１】
図７は舗石用ストッパー１の舗石１１への使用状態の一例を示したもので、１２は縁石、Ｓは隙間である。
【００３２】
図示のように、縦横方向に並べて敷き詰められる縦に長い長方形の舗石１１とその左側の縁石１２との間には、一定の隙間Ｓが形成されていて、敷き詰められる右側の舗石１１と舗石１１との間にも、同様に一定の隙間Ｓが形成されている。
【００３３】
そして、図６に示したように、雌部材２と雄部材３とを、各々の接地板部２ｂ・３ｂの延在方向を同一の向きに揃えて、各々の凹凸部２ｄ・３ｄを係合させた状態で、各々の接地板部２ｂ・３ｂを水抜き兼アンカー固定用穴２ｃ・３ｃにより地面にアンカーでそれぞれ固定して、図７の左側に示すように、各々の立ち上がり板部２ａ・３ａを舗石１１と縁石１２とにそれぞれ当接させる。
図示例では、雌部材２の立ち上がり板部２ａを縁石１２に右側から当接させて、その右側に隙間Ｓを開けた箇所において、雄部材３の立ち上がり板部３ａを縦方向並びの２枚の舗石１１にわたって左側から当接させる。
【００３４】
このように、図７の左側に示す縦方向並びの舗石１１と縁石１２との間は、各々の立ち上がり板部２ａ・３ａを縦方向に並ぶ舗石１１と縁石１２とにそれぞれ当接させたことにより、一定の隙間Ｓに保持されている。
【００３５】
また、図１に示したように、雌部材２と雄部材３とを、各々の接地板部２ｂ・３ｂの延在方向を反対向きにして、その各々の凹凸部２ｄ・３ｄを係合させた状態で水抜き兼アンカー固定用穴２ｃ・３ｃにより地面にアンカーでそれぞれ固定して、図７の右側に示すように、各々の立ち上がり板部２ａ・３ａを舗石１１と舗石１１とにそれぞれ当接させる。
図示例では、雌部材２の立ち上がり板部２ａを縦方向並びの２枚の舗石１１にわたって右側から当接させて、その右側に隙間Ｓを開けた箇所において、雄部材３の立ち上がり板部３ａを縦方向並びの２枚の舗石１１にわたって左側から当接させる。
【００３６】
このように、図７の右側に示す縦方向並びの舗石１１と舗石１１との間も、各々の立ち上がり板部２ａ・３ａを縦方向に並ぶ舗石１１と舗石１１とにそれぞれ当接させたことにより、一定の隙間Ｓに保持されている。
【００３７】
図８は舗石用ストッパー１の舗石１１への使用状態の第２例を示したもので、図示のように、縦横方向に並べて敷き詰められる縦に長い長方形の舗石１１の左側縁において、雌部材２の立ち上がり板部２ａを縦方向並びの２枚の舗石１１にわたって左側から当接させる。
また、雄部材３の立ち上がり板部３ａを縦方向並びの２枚の舗石１１にわたって左側から当接させる。
こうして、縦方向並びの２枚の舗石１１にわたって左側から当接させる雌部材２と雄部材３を舗石１１の左側縁に沿って縦方向交互に配置している。
【００３８】
このように、雌部材２と雄部材３を舗石１１に対し各々個別に用いることもできる。
【００３９】
図９は舗石用ストッパー１の舗石１１への使用状態の第３例を示したもので、図示のように、縦横方向に並べて敷き詰められる縦に長い長方形の舗石１１の左側縁の上側において、雌部材２の立ち上がり板部２ａを縦方向並びの２枚の舗石１１にわたって左側からそれぞれ当接させる。
そして、隙間Ｓを空けて上下に並べて敷き詰められる舗石１１の左側縁において、雌部材２の立ち上がり板部２ａを、隙間Ｓを空けた上下２枚の舗石１１にわたって左側から当接させる。
さらに、敷き詰められる舗石１１の左側縁の下側において、雌部材２の立ち上がり板部２ａを縦方向並びの２枚の舗石１１にわたって左側から当接させる。
【００４０】
このように、雌部材２のみを舗石１１に対し個別に用いて隙間Ｓを空けることもできる。
同様に、雄部材３のみを舗石１１に対し個別に用いて隙間Ｓを空けることもできる。
【００４１】
図１０は舗石用ストッパー１の舗石１１への使用状態の第４例を示したもので、図示のように、雌部材２と雄部材３とを、各々の接地板部２ｂ・３ｂの延在方向を反対向きにして、各々の凹凸部２ｄ・３ｄを係合させた状態で、各々の立ち上がり板部２ａ・３ａを縦横方向に並べて敷き詰められる横に長い長方形の舗石１１と舗石１１とにそれぞれ当接させる。
図示例では、雌部材２の立ち上がり板部２ａを横方向並びの３枚の舗石１１にわたって右側から当接させて、その右側に隙間Ｓを開けた箇所において、雄部材３の立ち上がり板部３ａを横方向並びの３枚の舗石１１にわたって左側から当接させる。
【００４２】
このように、横方向並びの舗石１１と舗石１１との間において、各々の立ち上がり板部２ａ・３ａを横方向に並ぶ３枚ずつの舗石１１と舗石１１とにそれぞれ当接させて、一定の隙間Ｓを保持することもできる。
【００４３】
図１１は舗石用ストッパー１の舗石１１への使用状態の第５例を示したもので、図示のように、十字方向の隙間Ｓを境に、縦方向並びの上下の縦に長い長方形の舗石１１と舗石１１との間において、各々の立ち上がり板部２ａ・３ａを横方向に並ぶ３枚ずつの舗石１１と舗石１１とにそれぞれ当接させて、縦方向並びの左右の舗石１１と舗石１１との間において、各々の立ち上がり板部２ａ・３ａを縦方向に並ぶ２枚ずつの舗石１１と舗石１１とにそれぞれ当接させる。
図示例では、十字方向の隙間Ｓの交差部において、立ち上がり板部２ａ・３ａを横方向に隙間Ｓを空けた２枚ずつの舗石１１と舗石１１とにそれぞれ当接させる。
【００４４】
このように、縦方向並びの上下の舗石１１と舗石１１との間において、各々の立ち上がり板部２ａ・３ａを横方向に並ぶ３枚ずつの舗石１１と舗石１１とにそれぞれ当接させて、縦方向並びの左右の舗石１１と舗石１１との間において、各々の立ち上がり板部２ａ・３ａを縦方向に並ぶ２枚ずつの舗石１１と舗石１１とにそれぞれ当接させることで、十字方向の隙間Ｓを保持することもできる。
【００４５】
以上のように、舗石用ストッパー１を複数用い、各々の向きを変えたり、その雌部材２と雄部材３の凹凸部２ｂ・３ｂによる係合位置を適宜変更したり、雌部材２及び／または雄部材３を個別に用いたりすることにより、様々な形態に並ぶ舗石１１の移動をそれぞれ防止することができる。
【００４６】
図１２は舗石用ストッパー１の舗石１１への使用状態の第６例を示したもので、１３は植栽である。
【００４７】
図示のように、左右の舗石１１と舗石１１の間において、立ち上がり板部２ａを左側の舗石１１に当接させて、立ち上がり板部３ａを右側の舗石１１に当接させることで、その間に植栽１３を設けることもできる。
【００４８】
以上、実施形態によれば、二股に分かれた平面視略コ字型の雌部材２と、その雌部材２に係合する平面視略Ｔ字型の雄部材３と、からなり、その雌部材２と雄部材３は、各々が互いに対向する立ち上がり板部２ａ・３ａを備え、これら立ち上がり板部２ａ・３ａ同士の間隔を調整可能に係合している舗石用ストッパー１なので、その雌部材２及び雄部材３の各々の立ち上がり板部２ａ・３ａ同士の間隔を広げることによって、少なくとも一方の立ち上がり板部２ａ（または立ち上がり板部３ａ）を舗石１１に強く当接させることができる。
従って、舗石１１の間隔変更に対応することができる。
【００４９】
すなわち、雌部材２は、その立ち上がり板部２ａの両端部下端から同一方向に平行に延出して備える二つの接地板部２ｂの底面が地面に接する。
また、雄部材３は、その立ち上がり板部３ａの中央部下端から延出して備える一つの接地板部３ｂの底面が地面に接する。
【００５０】
そして、雌部材２及び雄部材３は、その各々において、立ち上がり板部２ａ・３ａが、接地板部２ｂ・３ｂの上面からそれぞれ上方に立ち上がった形状なので、その立ち上がり板部２ａ・３ａの下端面と接地板部２ｂ・３ｂの底面が接する地面との間には、少なくとも接地板部２ｂ・３ｂの厚み分の隙間が生じることになる。
従って、雌部材２と雄部材３とを係合させた際に、各々の立ち上がり板部２ａ・３ａの下に接地板部２ｂ・３ｂがそれぞれ入る状態となる。
【００５１】
さらに、雌部材２の二つの接地板部２ｂの内側縁部に各々長さ方向に沿ってそれぞれ形成した凹凸部２ｄと、雄部材３の一つの接地板部３ｂの両外側縁部に各々長さ方向に沿ってそれぞれ形成した凹凸部３ｄとが噛み合うことで、位置変更可能に係合する。
従って、舗石１１の隙間Ｓの間隔変更に対応することができる。
【００５２】
しかも、雌部材２の二つの接地板部２ｂの内側縁部に各々形成した凹凸部２ｄが対称的に形成されていて、雄部材３の一つの接地板部３ｂの両外側縁部に各々形成した凹凸部３ｄも対称的に形成されているので、雌部材２と雄部材３を、各々の接地板部２ｂ・３ｂの延在方向が反対向きになるように係合させたり、各々の接地板部２ｂ・３ｂの延在方向が同一の向きに揃えて係合させたりすることができる。
従って、雌部材２と雄部材３を、各々の接地板部２ｂ・３ｂの向きを変える二通りの使い方によって、舗石１１の移動をそれぞれ防止することができる。
【００５３】
また、雌部材２と雄部材３を舗石１１に対し各々個別に用いることもできる。
【００５４】
さらに、雌部材２のみを舗石１１に対し個別に用いて隙間Ｓを空けることもできる。
同様に、雄部材３のみを舗石１１に対し個別に用いて隙間Ｓを空けることもできる。
【００５５】
（変形例）
図１３は変形例の舗石用ストッパー２１の一例として雌部材２２と雄部材２３を係合させて組み合わせた状態の一例を示したもので、２２ａは立ち上がり板部、２２ｂは接地板部、２２ｃは水抜き兼アンカー固定用穴、２２ｄは凹凸部、２３ａは立ち上がり板部、２３ｂは接地板部、２３ｃは水抜き兼アンカー固定用穴、２３ｄは凹凸部である。
【００５６】
図示のように、この舗石用ストッパー２１は、前述した実施形態の舗石用ストッパー１との対比において、雌部材２２及び雄部材２３の各々の立ち上がり板部２２ａ・２３ａを幅狭に形成して、各々の接地板部２２ｂ・２３ｂを細長く形成したものである。
図示例では、雌部材２２の二つの接地板部２２ｂにおける凹凸部２２ｄと、雄部材２３の一つの接地板部２３ｂにおける凹凸部２３ｄとを噛み合わせた状態で、雌部材２２と雄部材２３とを、各々の接地板部２２ｂ・２３ｂの延在方向を反対向きにして係合させた状態に保持している。
【００５７】
図１４は舗石用ストッパー２１の舗石３１への使用状態の一例を示したもので、３２は縁石、Ｓは隙間である。
【００５８】
図示のように、縦横方向に並べて敷き詰められる正方形の舗石３１とその左側の縁石３２との間には、一定の隙間Ｓが形成されていて、敷き詰められる右側の舗石３１と舗石３１との間にも、同様に一定の隙間Ｓが形成されている。
【００５９】
そして、図１３に示したように、雌部材２２と雄部材２３とを、各々の接地板部２２ｂ・２３ｂの延在方向を同一の向きに揃えて、その各々の凹凸部２２ｄ・２３ｄを係合させた状態で水抜き兼アンカー固定用穴２２ｃ・２３ｃにより地面にアンカーでそれぞれ固定して、図１４の左側に示すように、各々の立ち上がり板部２２ａ・２３ａを舗石３１と縁石３２とにそれぞれ当接させる。
図示例では、雌部材２２の立ち上がり板部２２ａを縁石３２に右側から当接させて、その右側に隙間Ｓを開けた箇所において、雄部材２３の立ち上がり板部２３ａを縦方向並びの２枚の舗石３１にわたって左側から当接させる。
【００６０】
このように、図１４の左側に示す縦方向並びの舗石３１と縁石３２との間は、各々の立ち上がり板部２２ａ・２３ａを縦方向に並ぶ舗石３１と縁石３２とにそれぞれ当接させたことにより、一定の隙間Ｓに保持されている。
【００６１】
また、図１３に示したように、雌部材２２と雄部材２３とを、各々の接地板部２２ｂ・２３ｂの延在方向を反対向きにして、その各々の凹凸部２２ｄ・２３ｄを係合させた状態で水抜き兼アンカー固定用穴２２ｃ・２３ｃにより地面にアンカーでそれぞれ固定して、図１４の右側に示すように、各々の立ち上がり板部２２ａ・２３ａを舗石３１と舗石３１とにそれぞれ当接させる。
図示例では、雌部材２２の立ち上がり板部２２ａを縦方向並びの２枚の舗石３１にわたって右側から当接させて、その右側に隙間Ｓを開けた箇所において、雄部材２３の立ち上がり板部２３ａを縦方向並びの２枚の舗石３１にわたって左側から当接させる。
【００６２】
このように、図１４の右側に示す縦方向並びの舗石３１と舗石３１との間も、各々の立ち上がり板部２２ａ・２３ａを縦方向に並ぶ舗石３１と舗石３１とにそれぞれ当接させたことにより、一定の隙間Ｓに保持されている。
【００６３】
以上の変形例のような舗石用ストッパー２１を用いてもよい。
【００６４】
（他の変形例）
以上において、雌部材と雄部材及びその凹凸の形状等は任意であり、その他、具体的な細部構造等についても適宜に変更可能であることは勿論である。
【符号の説明】
【００６５】
１  舗石用ストッパー
２  雌部材
２ａ  立ち上がり板部
２ｂ  接地板部
２ｃ  水抜き兼アンカー固定用穴
２ｄ  凹凸部
３  雄部材
３ａ  立ち上がり板部
３ｂ  接地板部
３ｃ  水抜き兼アンカー固定用穴
３ｄ  凹凸部
１１  舗石
１２  縁石
１３  植栽
２１  舗石用ストッパー
２２  雌部材
２２ａ  立ち上がり板部
２２ｂ  接地板部
２２ｃ  水抜き兼アンカー固定用穴
２２ｄ  凹凸部
２３  雄部材
２３ａ  立ち上がり板部
２３ｂ  接地板部
２３ｃ  水抜き兼アンカー固定用穴
２３ｄ  凹凸部
３１  舗石
３２  縁石
Ｓ  隙間
【図１】
2016142091.tif 000003
【図２】
2016142091.tif 000004
【図３】
2016142091.tif 000005
【図４】
2016142091.tif 000006
【図５】
2016142091.tif 000007
【図６】
2016142091.tif 000008
【図７】
2016142091.tif 000009
【図８】
2016142091.tif 000010
【図９】
2016142091.tif 000011
【図１０】
2016142091.tif 000012
【図１１】
2016142091.tif 000013
【図１２】
2016142091.tif 000014
【図１３】
2016142091.tif 000015
【図１４】
2016142091.tif 000016
【図１５】
2016142091.tif 000017